(57)【要約】【課題】配線の端部に備えた接続端子を取付ける端子ネジの緩みを防ぎ、接続端子が端子台本体から外れることがない端子台装置を提供する。【解決手段】配線の端部の接続端子５を端子ネジ６により取付ける絶縁プラスチック製の端子台本体１であって、前記端子台本体１の基台２から突出する左右一対の側壁３の間隔と同じ幅よりなる規制板１２の下面に、前記端子ネジ６の頭部７に設けたネジ回し工具用溝７ａに係合する突起１５を形成し、前記規制板１２を前記側壁３間に挿入して前記突起１５を前記端子ネジ６の前記頭部７の前記ネジ回し工具用溝７ａに係合させてなる。【選択図】図１
2017092015.tif 000002
【特許請求の範囲】
【請求項１】
配線の端部の接続端子を端子ネジにより取付ける絶縁プラスチック製の端子台本体であって、前記端子台本体の基台から突出する左右一対の側壁の間隔と同じ幅よりなる規制板の裏面に、前記端子ネジの前記頭部に設けたネジ回し工具用溝に係合する突起を形成し、前記規制板を前記側壁間に挿入して前記突起を前記端子ネジの前記頭部の前記ネジ回し工具用溝に係合させたことを特徴とする端子台装置。
【請求項２】
前記規制板に前記端子ネジの頭部に対向させて非円形状の開口を穿設し、この開口と同一形状の外形を有するとともに、下面に前記ネジ回し工具用溝に係合する突起を形成した駒部材を前記開口に嵌合し、前記突起を前記ネジ回し工具用溝に係合させることを特徴とする請求項１に記載の端子台装置である。
【請求項３】
前記駒部材の外周に外周セレーションを形成するとともに、前記規制板の前記開口の内周に前記駒部材の外周セレーションと合致する内周セレーションを形成し、前記開口に前記駒部材をセレーション結合するように嵌合させることを特徴とする請求項２に記載の端子台装置。
【発明の詳細な説明】
【技術分野】
【０００１】  この発明は、配線の端部に備えた接続端子を取付ける端子台装置に関するものである。
【背景技術】
【０００２】  従来、端子ネジの緩みを防止するものとして、座金によるものが多数提案されている。一般的には座金をスプリンワッシャーにするとか、特許文献１のように座金の上面と下面のそれぞれに切り込みにより形成する突起をネジ穴とネジ頭部に係止してネジの緩みを防止するものがある。
【先行技術文献】
【特許文献】
【０００３】
【特許文献１】特開２００６−３００２９９号公報
【発明の概要】
【発明が解決しようとする課題】
【０００４】  特に、スプリングワッシャーによる場合は、バネ性を利用して緩みを防止するのでは、長期間使用しているとバネがへたり、バネ力による緩み止めの機能を果たさなくなる。また、特許文献１による場合は、ネジ穴とか、ネジ頭部に座金の突起を係止する凹部を設けることになり、この凹部の加工が必要で、しかも、組み付けに手間がかかるなどの問題があった。【０００５】  この発明は、以上のようなことを考慮してなされたもので、端子ネジのネジ穴に特別な加工を施すことなく、簡単な構造によって確実に緩みを防止でき、しかも、前記端子ネジの締め付け完了位置に係わりなく、組み付け作業を容易にすることを目的とする。
【課題を解決するための手段】
【０００６】  前記課題を解決し、かつ目的を達成するために、この発明は、以下のように構成した。【０００７】  請求項１に記載の発明は、配線の端部の接続端子を端子ネジにより取付ける絶縁プラスチック製の端子台本体であって、前記端子台本体の基台から突出する左右一対の側壁の間隔と同じ幅よりなる規制板の裏面に、前記端子ネジの前記頭部に設けたネジ回し工具用溝に係合する突起を形成し、前記規制板を前記側壁間に挿入して前記突起を前記端子ネジの前記頭部の前記ネジ回し工具用溝に係合させたことを特徴とする端子台装置である。【０００８】  請求項２に記載の発明は、前記規制板に前記端子ネジの頭部に対向させて非円形状の開口を穿設し、この開口と同一形状の外形を有するとともに、下面に前記ネジ回し工具用溝に係合する突起を形成した駒部材を前記開口に嵌合し、前記突起を前記ネジ回し工具用溝に係合させることを特徴とする請求項１に記載の端子台装置である。【０００９】  請求項３に記載の発明は、前記駒部材の外周に外周セレーションを形成するとともに、前記規制板の前記開口の内周に前記駒部材の外周セレーションと合致する内周セレーションを形成し、前記開口に前記駒部材をセレーション結合するように嵌合させることを特徴とする請求項２に記載の端子台装置である。
【発明の効果】
【００１０】  前記構成により、この発明は、以下のような効果を有する。【００１１】  請求項１に記載の発明では、配線の端部の接続端子を端子ネジにより取付ける絶縁プラスチック製の端子台本体であって、前記端子台本体の基台から突出する左右一対の側壁の間隔と同じ幅よりなる規制板の下面に、前記端子ネジの前記頭部に設けたネジ回し工具用溝に係合する突起を形成し、前記規制板を前記側壁間に挿入して前記突起を前記端子ネジの前記頭部の前記ネジ回し工具用溝に係合させたので、前記端子台本体および端子ネジの形状を改造することがなく、前記接続端子を取付ける端子ネジが振動などで緩むことを確実に防ぎ、前記接続端子が前記端子台本体より外れないようにでき、しかも、緩み止めの対策にかける費用を削減できる。【００１２】  請求項２に記載の発明では、前記規制板に前記端子ネジの頭部に対向させて非円形状の開口を穿設し、この開口と同一形状の外形を有するとともに、下面に前記ネジ回し工具用溝に係合する突起を形成した駒部材を前記開口に嵌合し、前記突起を前記ネジ回し工具用溝に係合させるので、前記規制板の前記開口より前記ネジ回し用工具を通し、これを前記端子ネジの前記頭部の前記ネジ回し工具用溝に係合して前記端子ネジを締め付けることが容易にでき、前記基台に前記接続端子が確実に取付けられる。【００１３】  請求項３に記載の発明では、前記駒部材の外周に外周セレーションを形成するとともに、前記規制板の前記開口の内周に前記駒部材の外周セレーションと合致する内周セレーションを形成し、前記開口に前記駒部材をセレーション結合するように嵌合させるので、前記端子ネジの締め付け完了位置に係わりなく、前記駒部材を微回動させるだけで、前記規制板の前記開口の前記内周セレーションに前記駒部材の外周セレーションを速やかに嵌合でき、前記規制板と前記端子ネジとの組み付けが簡単で、前記端子ネジの緩みを確実に防止できる。
【図面の簡単な説明】
【００１４】
【図１】この発明の第１の実施の形態の端子台装置を示す従断面図である。
【図２】図１における端子台装置の平面図である。
【図３】図２のＡ−Ａ線による断面図である。
【図４】この発明の第１の実施の形態の規制板を示す斜視図である。
【図５】この発明の第１の実施の形態の駒部材を示す斜視図である。
【図６】この発明の第２の実施の形態の端子台装置を示す断面図である。
【図７】この発明の第２の実施の形態の駒部材を示す斜視図である。
【図８】この発明の第３の実施の形態の端子台装置を示す断面図である。
【発明を実施するための形態】
【００１５】  以下、この発明の端子台装置の実施の形態について説明する。この発明の実施の形態は、発明の最も好ましい形態を示すものであり、この発明はこれに限定されない。
【００１６】  この発明の第１の実施の形態を、図１および図５に基づいて説明する。図１は端子台装置を実施した一例を示すもので、符号１で示されるものは端子台本体である。
【００１７】  前記端子台本体１は、絶縁プラスチック製よりなり、基台２と、この基台２より起立させた左右一対の側壁３、３を備え、配線の端部の接続端子５が端子ネジ６により前記基台２に取付けられる。前記端子ネジ６は、前記端子台本体１の長手方向に一対を配置し、前記端子ネジ６間を隔壁４により仕切る。
【００１８】  前記端子ネジ６の前記頭部７の上面には、プラスネジ回し工具（図示せず）とマイナスネジ回し工具（図示せず）が兼用できる十文字状のネジ回し工具用溝７ａが形成され、前記頭部７の下面には、前記端子台本体１の前記基台２に螺合するネジ部８を有する。
【００１９】  前記接続端子５は前記ネジ部８を螺合することにより、前記基台２上の敷板９と前記頭部７の下面の押し板１０とで押圧し狭持する。このため、通常は振動などにより前記ネジ部８が回り、前記端子ネジ６が緩むと、前記接続端子５が前記基台２から外れることになる。なお、１１は前記頭部７の下面に介在した座金である。
【００２０】  前記側壁３、３間には、この側壁３、３の間隔と略同じ幅よりなるプラスチック製または板金製の規制板１２が挿入される。前記規制板１２には前記端子ネジ６の前記頭部７に対向させて前記頭部７と同一形状又は若干大きめの形状の開口１３を穿設し、この開口１３の内周面に内周セレーション１３ａを形成して前記開口１３を非円形状とする。
【００２１】  前記規制板１２の前記開口１３には、この開口１３と同一形状の外形を有する駒部材１４が嵌合される。前記駒部材１４の外周に前記開口１３の前記内周セレーション１３ａと合致する外周セレーション１４ａが形成される。この外周セレーション１４ａは周辺の数か所に形成してもよい。
【００２２】  前記駒部材１４の下面１４ｂには、前記端子ネジ６の前記頭部７のネジ回し工具用溝７ａに嵌り込む突起１５を設け、前記駒部材１４を前記開口１３に嵌合することにより、前記突起１５を前記ネジ回し工具用溝７ａに係合させる。
【００２３】  さらに、前記駒部材１４の上面１４ｃには、前記突起１５と同形状の図形１６を表示して、前記突起１５の向きが分かるようにする。なお、前記ネジ回し工具用溝７ａは一文字状、四角状、六角状にしてもよい。
【００２４】  前記端子ネジ６の前記頭部７のネジ回し工具用溝７ａに嵌り込む前記突起１５を前記規制板１２の前記開口１３に嵌合する前記駒部材１４に設けたが、前記突起１５を前記規制板１２の下面に一体に設けてもよい。
【００２５】  この端子台装置において、まず、前記規制板１２を前記側壁３、３間に挿入した後、前記規制板１２の前記開口１３より前記ネジ回し用工具を通し、これを前記端子ネジ５の前記頭部６の前記ネジ回し工具用溝７ａに係止し、前記端子ネジ５を締め付け前記基台２に前記接続端子４を取付ける。
【００２６】  次に、前記駒部材１４の前記上面１４ｃの前記図形１６を目視しながら、前記駒部材１４の前記突起１５を前記端子ネジ６の前記頭部７の前記ネジ回し工具用溝７ａに係合する。そして、前記開口１３の前記内周セレーション１３ａに前記駒部材１４の前記外周セレーション１４ａを合致させ、前記駒部材１４を前記開口１３に嵌合する。
【００２７】  このように、前記突起１５が前記ネジ回し工具用溝７ａに係合することにより、前記ネジ部８が回り始めても、前記規制板１２の端面が前記側壁３、３に当接し、前記ネジ部８の回りが阻止されて前記端子ネジ６の緩みを防ぐ。
【００２８】  前記規制板１２の前記開口１３に前記駒部材１４がセレーション結合により嵌合させるので、前記端子ネジ６の締め付け完了位置に係わりなく、前記駒部材１４を微回動させるだけで、前記規制板１２の前記開口１３の前記内周セレーション１３ａに前記駒部材１４の前記外周セレーション１４ａを速やかに嵌合でき、前記規制板１２と前記端子ネジ６との組み付けが簡単で、前記端子ネジの緩みを確実に防止できる。
【００２９】  次に、第２の実施の形態を、図６および図７に基づいて説明する。この実施の形態において第１の実施の形態と同じ構成は同一の符号を付して説明する。
【００３０】  この第２の実施の形態では、第１の実施の形態で説明した前記規制板１２の前記開口１３に嵌合する前記駒部材１４の下面１４ｂに円筒のガイド部１７を突出させる。
【００３１】  前記ガイド部１７の下端には、第１の実施の形態と同じように前記端子ネジ６の前記頭部７のネジ回し具用溝７ａに嵌り込む前記突起１５を設け、この突起１５を前記ネジ回し具用溝７ａに係合させる。
【００３２】  前記ガイド部１７を設けることにより、前記規制板１２の前記開口１３に前記駒部材１４を嵌合する際、前記開口１３に前記ガイド部１７を嵌めた状態で前記駒部材１４を時計回りまたは反時計回りに微回動させることが円滑にでき、前記端子ネジ６の前記頭部７の上面の前記図形１６を前記端子ネジ６の前記頭部７の前記ネジ回し工具用溝７ａに合致させ易くなる。
【００３３】  さらに、第３の実施の形態を、図８に基づいて説明する。この実施の形態において第１の実施の形態と同じ構成は同一の符号を付して説明する。
【００３４】  この第３の実施の形態では、第１の実施の形態で説明した前記端子台本体１の前記基台２から突出する左右一対の前記側壁３の先端に蓋１８を着脱可能に装着する。
【００３５】  前記蓋１８の裏面に凸部１９を設け、この凸部１９は前記蓋１８を前記側壁３、３の先端に装着した際、前記駒部材１４または前記規制板１２に当接し、前記端子台本体１の据え付け姿勢が傾倒しても、前記突起１５が前記端子ネジ６の前記頭部７の前記ネジ回し工具用溝７ａから抜け外れることがなく、前記規制板１２が前記端子ネジ６の緩みを確実に阻止する。
【００３６】  以上の構成における端子台装置では、前記基台２上の敷板９と前記座面７ｂ下の押し板１０との間に前記接続端子５を挟持し、前記端子ネジ６を前記ネジ回し工具用溝７ａに係合したネジ回し工具によって、前記端子ネジ６の前記ネジ部８を前記基台２に螺合することにより、前記端子ネジ６を締め付け前記基台２に前記接続端子５を取付ける。
【００３７】  前記端子ネジ６の締め付けが完了し、この完了位置で前記規制板１２を前記側壁３、３間に挿入し、前記規制板１２の前記開口１３に前記駒部材１４を嵌合する。この際、前記端子ネジ６の締め付け完了位置に係わることなく、前記規制板１１を前記側壁３、３間に挿入しても、前記規制板１２の前記開口１３に嵌合する前記駒部材１４の前記突起１５が前記端子ネジ６の前記頭部７の前記ネジ回し工具用溝７ａに嵌合できる。
【００３８】  端子台装置を備える設備の振動が前記端子台本体１に伝わり、前記接続端子５を取付ける前記端子ネジ６に回りが生じても、前記駒部材１４の前記突起１５が前記端子ネジ６の前記頭部７に嵌合し、前記規制板１２の端面が前記側壁３，３に当接して回り止めされており、前記端子ネジ６が緩むことがなく、前記接続端子５が前記端子台本体１の前記基台２より外れなくなる。
【産業上の利用可能性】
【００３９】  この発明は、配線の端部に備えた接続端子を取付ける端子ネジが振動などで緩むことを確実に防ぎ、前記接続端子が前記端子台本体より外れないようにする端子台装置である。
【符号の説明】
【００４０】  １      端子台本体
２      基台
３      側壁
４      隔壁
５      接続端子
６      端子ネジ
７      頭部
７ａ    ネジ回し工具用溝
８      ネジ部
９      敷板
１０    押し板
１１    座金
１２    規制板
１３    開口
１３ａ  内周セレーション
１４    駒部材
１４ａ  外周セレーション
１４ｂ  下面
１４ｃ  上面
１５    突起
１６    記号
１７    ガイド部
１８    蓋
１９    凸部
【図１】
2017092015.tif 000003
【図２】
2017092015.tif 000004
【図３】
2017092015.tif 000005
【図４】
2017092015.tif 000006
【図５】
2017092015.tif 000007
【図６】
2017092015.tif 000008
【図７】
2017092015.tif 000009
【図８】
2017092015.tif 000010